(57)【要約】【課題】  犬を夜間に散歩させたり、自由に遊ばせる、または家畜を夜間に放牧させるのに適した首輪または胴輪を提供する。【解決手段】首輪の構成として、帯体と、該帯体に設けられた発光体と、該発光体に電力を供給する電源と、該電源から前記発光体に電力を供給する際、該発光体を点滅させる点滅制御手段または単に点灯させる手段を設ける。【選択図】    図１
2005151889.tif 000002
【特許請求の範囲】
【請求項１】
帯体と、該帯体に設けられた発光体と、該発光体に電力を供給する電源と、該電源から前記発光体に電力を供給する際、該発光体を点滅させる点滅制御手段または単に点灯させる手段を有することを特徴とする首輪。
【請求項２】
請求項１記載の首輪において、前記帯体に設けられて動物の首に取付けるためのバックルに設けられた、前記電源からの前記発光体への電力の供給のオン、オフを制御するスイッチをさらに有することを特徴とする首輪。
【請求項３】
請求項１記載の首輪において、前記帯体に設けられて、前記電源からの前記発光体への電力の供給のオン、オフを制御するスイッチをさらに有することを特徴とする首輪。
【請求項４】
請求項１記載の首輪において、前記帯体に設けられて動物の首に取付けるためのバックルに設けられた、前記電源からの前記発光体への電力の供給のオン、オフを制御する第１スイッチと、前記帯体に設けられて、前記電源からの前記発光体への電力の供給のオン、オフを制御する第２スイッチをさらに有することを特徴とする首輪。
【請求項５】
請求項１記載の首輪において、前記点滅制御手段は、前記電源からの電圧の供給を受けて無安定発振する少なくとも１つの無安定発振回路を含むことを特徴とする首輪。
【請求項６】
請求項１記載の首輪において、前記発光体は少なくとも１つの色を発光する発光ダイオードまたは豆電球であることを特徴とする首輪。
【請求項７】
請求項１記載の首輪において、前記発光体自体が点滅する機能を持つことを特徴とする首輪。
【請求項８】
請求項１乃至７のいずれか１つに記載の首輪に代えて用いられることを特徴とする胴輪。
【発明の詳細な説明】
【技術分野】
【０００１】
本発明は、首輪に関し、特に夜間散歩のための犬用の首輪に関する。したがって、以下の説明は犬用の首輪に関して説明するが、本発明は犬用の首輪に限定されるものではなく、広く動物用の首輪として用いることができる。また、本発明の原理は首輪に限られず、胴輪にも適用できるものである。
【背景技術】
【０００２】
犬等のペットを夜間に散歩させるとき、歩行者や自動車の運転手等の注意をひくために首輪に掛ける引き綱を面発光させるペット用引き綱が提案されている（特開２００１−０７８６１２号公報、特開２００１−３０９７３２号公報）。
【特許文献１】特開２００１−０７８６１２号公報
【特許文献２】特開２００１−３０９７３２号公報
【発明の開示】
【発明が解決しようとする課題】
【０００３】
引き綱を面発光させるものでは、夜間公園等で犬を自由に遊ばせるために放すことは、引き綱等を引きずったり、引き綱が木やその他の設備に絡まる恐れがあり、行うことができなかった。また、引き綱を発光させたものでは、暗い夜間では、歩行者等は引き綱のどちらが側に犬がつながれているか判断することが難しく、犬を避けるのが困難となる場合があった。また、家畜等の夜間の放牧には、引き綱が木やその他に絡まる恐れがあるので、用いることができなかった。
【０００４】
したがって、本発明は、犬を夜間に散歩させたり、自由に遊ばせる、または家畜を夜間に放牧させるのに適した首輪または胴輪を提供することにある。
【課題を解決するための手段】
【０００５】
上記課題を解決するために、本発明の首輪は、帯体と、該帯体に設けられた発光体と、該発光体に電力を供給する電源と、該電源から前記発光体に電力を供給する際、該発光体を点滅させる点滅制御手段または単に点灯させる手段を有することを特徴とする。
【発明の効果】
【０００６】
本発明は、犬を夜間に散歩させたり、自由に遊ばせる、または家畜を夜間に放牧させることができる。
【発明を実施するための最良の形態】
【０００７】
本発明は、帯体と、該帯体に設けられた発光体と、該発光体に電力を供給する電源と、該電源から前記発光体に電力を供給する際、該発光体を点滅させる点滅制御手段または単に点灯させる手段を有することを特徴とする首輪または胴輪である。
【実施例１】
【０００８】
最初に、本発明の実施例１の犬の首輪を図１〜３を参照して説明する。図１は、首輪を前方から見た斜視図であり、図２は首輪を後方から見た斜視図であり、図３はバックルの拡大斜視図である。図１、図２に示すように、首輪１０は、帯体１２と、犬の首に掛けたりはずしたりするために、帯体１２の両端に設けられたバックル部品１６、１８を有する。バックル部品１８に隣接した帯体の端部にはバッテリー１４（好ましくは、電圧９V）が取付けられており、バックル部品１６上には点滅装置１９が取付けられている。そして、バッテリー１４からはリード線１４ａ，１４ａがバックル部品１８の上下の筒上のフック部分に導かれており、また、点滅装置１９からはリード線１９ａ，１９ａがバックル部品１６の上下の突起状のフック部分に導かれている。
【０００９】
図３に示すように、バックル部品１６の突起状のフック部分には導体としての薄銅板２２が固定されており、そこにリード線１９ａがはんだ付け等により固定されている。また、バックル部品１８の筒状のフック部分には導体として薄銅板２４が表側とから裏側に折り返されて固定されており、そこにリード線１４ａがはんだ付け等により固定されている。
【００１０】
前述のように構成されているので、バックル部品１６、１８を嵌合させると、バッテリー１４からの電力が点滅装置１９に供給される。すなわち、バックル自体が嵌合、分離によりオン、オフのスイッチの機能をもつものである。点滅装置１９は、詳細には後述するが、無安定発振回路からなり、この点滅回路１９には、帯体１２に沿って設けられた複数の発光体２０が接続されている。この結果、バックル部品が嵌合されると、発光体２０が点滅することになる。発光体２０は、発光ダイオードや豆電球のような任意の適当なものでよいが、発光ダイオードが小型であり、壊れにくく、高い輝度を持つ点から好ましい。
【００１１】
前述の説明では、点滅装置を設けるものとして説明しているが、点滅に代えて、発光体を点灯させてもよいものである。また、バックル部品にスイッチ機能を持たせているが、このスイッチに加えて、別の手動のスイッチ（図示せず）として、例えば、帯体１２の縁部分に設け、バックル部品によるオン状態のときに、オン、オフ制御するようにすると、便利である。さらにまた、バックル部品にスイッチ機能をもたすことなく、前述のようなスイッチだけを設けてもよいものである。また、帯体に引き綱用のフック部材を設けて、通常の散歩用の首輪として用いてもよいものである。
【実施例２】
【００１２】
次に、実施例２の首輪を図４、図５を参照して説明する。図４は、実施例２の首輪の前方から見た斜視図であり、図５は首輪の後方から見た斜視図である。この実施例２では、点滅装置を設ける代わりに、発光体自体に自己点滅ダイオードを用いるものであり、その電気回路は後述する。首輪１０の帯体１２にはバッテリー１４が一方のバックル部品上に固定されている。そして、バッテリー１４にはマグネットスイッチ３２が接続されている。他方のバックル部品の上面には磁石３４が固定されている。このため、バックル部品を嵌合させた状態では、両方のバックル部品が接近し、マグネットスイッチ３２をオンにし、帯体１２に設けられてバッテリー１４に接続されている自己点滅ダイオードが点滅することになる。また、バッテリーからダイオードへの接続をオン、オフするスイッチ３６が設けられている。
【００１３】
また、この首輪の帯体１２には、引き綱を掛けるためのフック部材４０、４０が設けられている。もちろん、フック部材を設けることなく、単なる首輪として用いてもよい。
【実施例３】
【００１４】
次に、実施例３の胴輪を図６を参照して説明する。この実施例３の胴輪は、原理的には実施例１、実施例２の首輪と同様であり、首輪に代えて胴輪を用いるものである。胴輪５０は、帯体５２を有し、帯体５２の適当な個所にバッテリー１４が固定されており、バッテリーに接続された自己点滅ダイオード２０が帯体に沿って設けられている。もちろん、バッテリーに加えて、点滅装置を設け、通常の発光ダイオードを接続してもよい。また、帯体５２には引き綱用のフック部材４０、４０が設けられている。
【実施例４】
【００１５】
次に、実施例４として、図７を参照して、実施例１の首輪に適した回路を説明する。符号１４、１６、１８、１９は、それぞれ、実施例１に関連して説明したバッテリー、フック部品、フック部品、点滅装置である。バックル部品１６と、１８が嵌合すると、バッテリー１４からの電力が点滅装置１９に供給され、点滅装置に接続された発光ダイオード２０が点滅することになる。発光ダイオード２０は、オレンジ、赤、緑等の色の単色発光ダイオ−ドである。
【実施例５】
【００１６】
次に、実施例５として、図８を参照して、実施例２の首輪に適した回路を説明する。バッテリー１４にマグネットスイッチ３２とスイッチ３６が接続されており、自己点滅ダイオード２０がスイッチ３２とスイッチ３６を介して接続され、さらに３色ダイオードが接続されている。バックルが嵌合され、スイッチ３６がオンの状態で、自己点滅ダイオードが点滅を行い、３色ダイオードが点滅する。
【実施例６】
【００１７】
さらに、実施例６を図面９を参照して説明する。この実施例６は、実施例１（実施例４）におけるバックルのスイッチ機能と、実施例２(実施例５)における自己点滅ダイオードの組み合わせの実施例である。バックルの嵌合によりバッテリー１４と自己点滅ダイオード２０が接続される。
【図面の簡単な説明】
【００１８】
【図１】図１は実施例１の首輪の前方から見た斜視図である。
【図２】図２は実施例１の首輪の後方から見た斜視図である。
【図３】図３はバックルの拡大斜視図である。
【図４】図４は実施例２の首輪の前方から見た斜視図である。
【図５】図５は実施例２の首輪の後方から見た斜視図である。
【図６】図６は実施例３の胴輪の斜視図である。
【図７】図７は実施例４の回路図である。
【図８】図８は実施例５の回路図である。
【図９】図９は実施例６の回路図である。
【符号の説明】
【００１９】
１０  首輪
１２  帯体
１４  バッテリー
１６、１８  バックル部品
１９  点滅装置
２０  発光ダイオード、自己点滅ダイオード
【図１】
2005151889.tif 000003
【図２】
2005151889.tif 000004
【図３】
2005151889.tif 000005
【図４】
2005151889.tif 000006
【図５】
2005151889.tif 000007
【図６】
2005151889.tif 000008
【図７】
2005151889.tif 000009
【図８】
2005151889.tif 000010
【図９】
2005151889.tif 000011